【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
ワイヤレスデバイスであって、
ワイヤレス送信を受信するアンテナと、
前記受信したワイヤレス送信内にワイヤレスネットワークのランダムアクセスチャネルを介して送信される複数のプリアンブルを識別するように構成されるプリアンブル検出器回路要素と、
を含み、
前記プリアンブル検出器回路要素が、
前記プリアンブル検出器回路要素により識別される所与のプリアンブルルートシーケンスに対して、前記所与のプリアンブルルートシーケンス上で各サイクリックプリフィックスウインドウ内に検出されたプリアンブルサンプルを除外し、前記所与のプリアンブルルートシーケンスにアサインされるノイズフロア閾値を下回るノイズフロア値を、受信された信号サンプルの平均エネルギーとして推定し、
前記所与のプリアンブルルートシーケンスを用いてプリアンブルが検出される各サイクリックプレフィックスウィンドウに含まれる総信号エネルギーを減じた前記受信された信号サンプルの平均エネルギーと、ターゲット偽プリアンブル検出レートに基づく所定の正規化された相対ノイズフロア閾値との積として、前記ノイズフロア閾値を演算する、
ように構成されるノイズフロア推定器回路要素を含む、ワイヤレスデバイス。
【請求項２】
請求項１に記載のワイヤレスデバイスであって、
サイクリックプリフィックスウインドウの長さがアップリンク共用チャネル上のアップリンクデータ送信の長さに等しい、ワイヤレスデバイス。
【請求項３】
ワイヤレスデバイスであって、
ワイヤレス送信を受信するアンテナと、
前記受信したワイヤレス送信内にワイヤレスネットワークのランダムアクセスチャネルを介して送信される複数のプリアンブルを識別するように構成されるプリアンブル検出器回路要素と、
を含み、
前記プリアンブル検出器回路要素が、
前記プリアンブル検出器回路要素により識別される所与のプリアンブルルートシーケンスに対して、前記所与のプリアンブルルートシーケンス上で各サイクリックプリフィックスウインドウ内に検出されたプリアンブルサンプルを除外し、前記所与のプリアンブルルートシーケンスにアサインされるノイズフロア閾値を下回るノイズフロア値を、受信された信号サンプルの平均エネルギーとして推定し、
前記所与のプリアンブルルートシーケンスを用いてプリアンブルが検出される各サイクリックプレフィックスウィンドウに含まれる総信号エネルギーを減じた前記受信された信号サンプルの平均エネルギーと、ターゲット偽プリアンブル検出レートに基づく所定の正規化された相対ノイズフロア閾値との積として、前記ノイズフロア閾値を演算し、
前記所与のプリアンブルルートシーケンス以外のプリアンブルルートシーケンスを用いて検出された全てのプリアンブルの総干渉エネルギーを判定し、
前記干渉エネルギーに基づいて前記所与のプリアンブルルートシーケンスに対して前記ノイズフロア値を調節する、
ように構成される、ワイヤレスデバイス。
【請求項４】
請求項３に記載のワイヤレスデバイスであって、
前記ノイズフロア推定器回路要素が、前記所与のプリアンブルルートシーケンス以外のプリアンブルルートシーケンスを用いてプリアンブルが検出される前記サイクリックプレフィックスウィンドウに含まれるノイズエネルギーを減じた、前記所与のプリアンブルルートシーケンス以外のプリアンブルルートシーケンスを用いてプリアンブルが検出されるサイクリックプレフィックスウィンドウ内に含まれる信号エネルギーの総量として、前記総干渉エネルギーを判定するように更に構成される、ワイヤレスデバイス。
【請求項５】
請求項３に記載のワイヤレスデバイスであって、
前記ノイズフロア推定器回路要素が、各プリアンブルルートシーケンスのための電力サンプルの数に対する前記総干渉エネルギーの比として、総相互相関干渉エネルギーを判定するように更に構成される、ワイヤレスデバイス。
【請求項６】
請求項５に記載のワイヤレスデバイスであって、
前記ノイズフロア推定器回路要素が、前記ノイズフロア値から前記総相互相関干渉エネルギーを除外することによって、前記所与のプリアンブルルートシーケンスに対して前記ノイズフロア値を調節するように更に構成される、ワイヤレスデバイス。
【請求項７】
請求項１に記載のワイヤレスデバイスであって、
前記プリアンブル検出器回路要素により検出されるプリアンブルに対する信号対干渉及び雑音比（ＳＩＮＲ）を判定するように構成されるＳＩＮＲ推定器回路要素を更に含み、前記ＳＩＮＲが、前記ノイズフロア推定器回路要素により推定される前記ノイズフロア値に基づいて判定され、前記ノイズフロア値が全てのプリアンブル信号エネルギーを除外する、ワイヤレスデバイス。
【請求項８】
方法であって、
ワイヤレスネットワークのランダムアクセスチャネルを介して送信される信号を受信することと、
前記受信された信号におけるプリアンブルを検出することと、
前記検出することにより識別される所与のプリアンブルルートシーケンスに対して、前記所与のプリアンブルルートシーケンス上で各サイクリックプリフィックスウインドウ内に検出されたプリアンブルサンプルを除外し、前記所与のプリアンブルルートシーケンスにアサインされるノイズフロア閾値を下回るノイズフロア値を、受信された信号サンプルの平均エネルギーとして推定することと、
前記所与のプリアンブルルートシーケンスを用いてプリアンブルが検出される各サイクリックプレフィックスウィンドウに含まれる総信号エネルギーを減じた前記受信された信号サンプルの平均エネルギーと、ターゲット偽プリアンブル検出レートに基づく所定の正規化された相対ノイズフロア閾値との積として、前記ノイズフロア閾値を演算することと、
を含む、方法。
【請求項９】
方法であって、
ワイヤレスネットワークのランダムアクセスチャネルを介して送信される信号を受信することと、
前記受信された信号におけるプリアンブルを検出することと、
前記検出することにより識別される所与のプリアンブルルートシーケンスに対して、前記所与のプリアンブルルートシーケンス上で各サイクリックプリフィックスウインドウ内に検出されたプリアンブルサンプルを除外し、前記所与のプリアンブルルートシーケンスにアサインされるノイズフロア閾値を下回るノイズフロア値を、受信された信号サンプルの平均エネルギーとして推定することと、
前記所与のプリアンブルルートシーケンスを用いてプリアンブルが検出される各サイクリックプレフィックスウィンドウに含まれる総信号エネルギーを減じた前記受信された信号サンプルの平均エネルギーと、ターゲット偽プリアンブル検出レートに基づく所定の正規化された相対ノイズフロア閾値との積として、前記ノイズフロア閾値を演算することと、
前記所与のプリアンブルルートシーケンス以外のプリアンブルルートシーケンスを用いて検出された全てのプリアンブルの総干渉エネルギーを判定することと、
前記干渉エネルギーに基づいて前記所与のプリアンブルルートシーケンスに対して前記ノイズフロア値を調節することと、
を含む、方法。
【請求項１０】
請求項９に記載の方法であって、
前記所与のプリアンブルルートシーケンス以外のプリアンブルルートシーケンスを用いてプリアンブルが検出される前記サイクリックプレフィックスウィンドウに含まれるノイズエネルギーを減じた、前記所与のプリアンブルルートシーケンス以外のプリアンブルルートシーケンスを用いてプリアンブルが検出されるサイクリックプレフィックスウィンドウ内に含まれる信号エネルギーの総量として、前記総干渉エネルギーを判定することを更に含む、方法。
【請求項１１】
請求項９に記載の方法であって、
各プリアンブルルートシーケンスのための電力サンプルの数に対する前記総干渉エネルギーの比として、総相互相関干渉エネルギーを判定することを更に含む、方法。
【請求項１２】
請求項１１に記載の方法であって、
前記ノイズフロア値から前記総相互相関干渉エネルギーを除外することによって、前記所与のプリアンブルルートシーケンスに対して前記ノイズフロア値を調節することを更に含む、方法。
【請求項１３】
請求項８に記載の方法であって、
検出されるプリアンブルに対する信号対干渉及び雑音比（ＳＩＮＲ）を推定することを更に含み、前記ＳＩＮＲが前記ノイズフロア値に基づいて計算され、前記ノイズフロア値が全てのプリアンブル信号エネルギーを除外する、方法。
【請求項１４】
請求項１３に記載の方法であって、
前記検出された前記プリアンブルを送信したワイヤレスデバイスに対して送信において前記ＳＩＮＲを適用することを更に含む、方法。
【請求項１５】
請求項８に記載の方法であって、
サイクリックプレフィックスウィンドウの長さがアップリンク共用チャネル上のアップリンクデータ送信の長さに等しい、方法。
【請求項１６】
ワイヤレス基地局を実装するための装置であって、
ワイヤレス送信を受信するアンテナと、
前記受信したワイヤレス送信内にワイヤレスネットワークのランダムアクセスチャネルを介して送信される複数のプリアンブルを識別するように構成されるプリアンブル検出器回路要素と、
を含み、
前記プリアンブル検出器回路要素が、
前記プリアンブル検出器回路要素により識別される所与のプリアンブルルートシーケンスに対して、前記所与のプリアンブルルートシーケンス上で各サイクリックプリフィックスウィンドウ内に検出されたプリアンブルサンプルを除外し、前記所与のプリアンブルルートシーケンスにアサインされるノイズフロア閾値を下回るノイズフロア値を、受信された信号サンプルの平均エネルギーとして推定し、
前記所与のプリアンブルルートシーケンスを用いてプリアンブルが検出される各サイクリックプレフィックスウィンドウに含まれる総信号エネルギーを減じた前記受信された信号サンプルの平均エネルギーと、ターゲット偽プリアンブル検出レートに基づく所定の正規化された相対ノイズフロア閾値との積として、前記ノイズフロア閾値を演算し、
前記所与のプリアンブルルートシーケンス以外のプリアンブルルートシーケンスを用いて検出された全てのプリアンブルの総干渉エネルギーに基づいて前記所与のプリアンブルルートシーケンスのための前記ノイズフロア値を調節する、
ように構成されるノイズフロア推定器回路要素を含む、装置。
【請求項１７】
請求項１６に記載の装置であって、
前記ノイズフロア推定器回路要素が、前記所与のプリアンブルルートシーケンス以外のプリアンブルルートシーケンスを用いてプリアンブルが検出される前記サイクリックプレフィックスウィンドウに含まれるノイズエネルギーを減じた、前記所与のプリアンブルルートシーケンス以外のプリアンブルルートシーケンスを用いてプリアンブルが検出されるサイクリックプレフィックスウィンドウ内に含まれる信号エネルギーの総量として、前記総干渉エネルギーを判定するように構成される、装置。
【請求項１８】
請求項１７に記載の装置であって、
前記ノイズフロア推定器回路要素が、
各プリアンブルルートシーケンスのための電力サンプルの数に対する前記総干渉エネルギーの比として、総相互相関干渉エネルギーを判定し、
前記ノイズフロア値から前記相互相関干渉エネルギーを除外することによって、前記所与のプリアンブルルートシーケンスに対して前記ノイズフロア値を調節する、
ように更に構成される、装置。
【請求項１９】
請求項１６に記載の装置であって、
前記プリアンブル検出器回路要素により検出されるプリアンブルに対する信号対干渉及び雑音比（ＳＩＮＲ）を判定するように構成されるＳＩＮＲ推定器回路要素を更に含み、前記ＳＩＮＲが前記ノイズフロア推定器回路要素により推定される前記ノイズフロア値に基づいて判定され、前記ノイズフロア値がプリアンブル信号エネルギーを除外する、装置。